(57)【要約】【課題】  医師は医療カンファレンスの準備を行う時間を多く取れない。【解決手段】  医療カンファレンスの場で利用・編集された電子カルテ・医療画像・会議情報などを収集し、サマリ出力用テンプレートに適応して患者ごとのサマリを作成。更にサマリファイルを患者単位ごとのバインダへ保存することで患者との関連付けを行う。【選択図】  図１
2013186649.tif 000002
【特許請求の範囲】
【請求項１】
医療における会議を支援する会議支援装置であって、
サマリ出力パターンを定義したテンプレートを取得する手段と、
患者の電子カルテ情報を取得する手段と、
患者に対する会議開催内容を取得する手段と、
前記テンプレートに対し前記電子カルテ情報および前記会議開催内容のサマリを生成しファイルとして保存する手段と、
前記保存したサマリを、前記患者と関連付ける手段とを有することを特徴とする会議支援装置。
【請求項２】
前記会議開催内容は、出力対象となる前記患者に関する会議の結果、会議中に選択された画像、議事録の少なくとも１つを含むことを特徴とする請求項１に記載の会議支援装置。
【請求項３】
医療における会議を支援する会議支援装置における会議支援方法であって、
サマリ出力パターンを定義したテンプレートを取得する工程と、
患者の電子カルテ情報を取得する工程と、
患者に対する会議開催内容を取得する工程と、
前記テンプレートに対し前記電子カルテ情報および前記会議開催内容のサマリを生成しファイルとして保存する工程と、
前記保存したサマリを、前記患者と関連付ける手段とを有することを特徴とする会議支援方法。
【請求項４】
コンピュータが読み出して実行することにより、前記コンピュータを、請求項１に記載の会議支援装置として機能させることを特徴とするプログラム。
【発明の詳細な説明】
【技術分野】
【０００１】
本発明は、医療カンファレンスの会議サマリを出力し、会議と関連付けて管理する会議支援装置に関する。
【背景技術】
【０００２】
今日、病院で手術を行う際には、事前に該当患者に関係する医師や医療スタッフが集まって術式等の検討を行う医療カンファレンスが広く行われている。他の診療活動と同様に、医療カンファレンスもその実施内容を記録に残す必要がある。しかしながら、現場の医師は多忙なため医療カンファレンスの開催に割り当てられる時間は非常に限られており会議サマリ等を作成する余裕がないのが現状である。
そのような医師の負荷を軽減するために、作業の一部を自動化する提案がなされている。例えば、特許文献１では、電子化された医用画像をカルテ用紙の所定の位置に印刷し、紙カルテ作成の負荷を低減する提案がなされている。また、特許文献２には、電子化された医療医用画像と対応付けを行った電子カルテの提案がなされている。
【先行技術文献】
【特許文献】
【０００３】
【特許文献１】特開２００７−１１７５７４号公報
【特許文献２】特開２００４−３３４７８９号公報
【発明の概要】
【発明が解決しようとする課題】
【０００４】
本来、医師は医療カンファレンスにおける議論に集中し、素早く結論を出していくことが望ましい。しかしながら、先に上げた提案では医療カンファレンスのサマリの作成および管理の作業の大半は自動化することができず、サマリ作成および管理のためには別途医師の作業を必要とする問題が発生していた。
本発明は上述した問題を解決するためになされたものであり、医療カンファレンスのサマリ生成および診断履歴としての管理を自動的に行うことを可能とする会議支援装置を提要することを目的とする。
【課題を解決するための手段】
【０００５】
上述の問題点を解決するため、本発明の会議支援装置は以下の構成を有する。すなわち、医療における会議を支援する会議支援装置であって、サマリ出力パターンを定義したテンプレートを取得する手段と、患者の電子カルテ情報を取得する手段と、患者に対する会議開催内容を取得する手段と、前記テンプレートに対し前記電子カルテ情報および前記会議開催内容のサマリを生成しファイルとして保存する手段と、前記保存したサマリを、前記出力対象患者と関連付ける手段とを有する。
【発明の効果】
【０００６】
以上の構成からなる本発明によれば、医療カンファレンスのサマリの生成および管理を自動的に行うことができる。
【図面の簡単な説明】
【０００７】
【図１】本発明の第１の実施形態に係る会議サマリ出力装置の全体的な構成を示す図
【図２】本発明の第１の実施形態における会議クライアントの表示画面を示す図
【図３】本発明の第１の実施形態における会議クライアントの表示画面を示す図
【図４】本発明の第１の実施形態における会議クライアントの表示画面を示す図
【図５】本発明の第１の実施形態におけるサマリを出力する際の会議クライアントの処理を示すフローチャート
【図６】本発明の第１の実施形態における会議クライアントの表示画面を示す図
【発明を実施するための形態】
【０００８】
以下、添付の図面を参照して、本願発明をその好適な実施形態に基づいて詳細に説明する。なお、以下の実施形態において示す構成は一例に過ぎず、本発明は図示された構成に限定されるものではない。
【０００９】
＜実施形態１＞
本実施形態の会議支援装置は、医療カンファレンスの場にて参照・入力された情報より患者単位でサマリを生成し、患者情報と関連付けて管理を行う。
【００１０】
図１は、本発明の第１の実施形態に係る会議支援装置の全体的な構成を示す図である。図１において、会議クライアント１は会議サーバ２やファイルサーバ３など各種サーバから情報を取得し会議を進行する。また、会議中もしくは会議後に会議のサマリ３３を出力する。
【００１１】
会議サーバ２、ファイルサーバ３、ＰＡＣＳサーバ５、診断レポートサーバ６、電子カルテサーバ７はネットワーク４を介して会議クライアント１と接続され、これまでの診断などにより蓄積されてきた患者情報を会議クライアントへ提供する。
【００１２】
図２は、本発明の実施形態１に係る会議クライアント１における会議中の画面を示す図であり、医師はこの画面を利用して、患者ごとの術式方針の承認を行う。会議画面には患者ごとに事前に術式内容を入力した電子カルテ情報３５４、それまでに収集した医療画像情報３５７、当日の参加者情報３５３や会議の日時情報３５２等を自動的に表示する。会議に参加する医師は、これらの情報を参照しながら会議を進める。また、会議中に関連資料として医師により指定された画像は、サマリ出力画像一覧３５６として格納される。また、会議にて提案した術式方針の承認可否の結果が出ると、結果入力エリア３５５の『承認』『要追記』『継続』のいずれかを選択し、対象患者に関する検討を終了する。
【００１３】
図３は、結果入力エリア３５５の項目選択後の画面を示す図である。図３では、結果入力エリア３５５に結果が入力されているために、サマリ出力ボタン３５８が有効化されている。このとき、医師がサマリ出力ボタン３５８を押すことで会議のサマリ情報３３が生成され、ファイルサーバ３上で対象患者に関連付けられた状態で保存される。なお、サマリ出力ボタン３５８を押すのは結果入力エリア３５５の項目選択直後に限らず、会議後に議事担当者が議事録を追記した後などに行っても良い。また、サマリ出力後に出力結果を表示させ、ユーザが内容を確認できるようにしてもよい。図４に、サマリ出力直後に出力結果３６０を表示させた状態を示す。ユーザはサマリの内容をその場で確認し、不備があれば会議画面の情報を修正した上で再度サマリ出力を実行することができる。
【００１４】
次に、図５を参照しながら、実施形態１における会議クライアント１の処理について詳細に説明する。図５は、実施形態１においてサマリ出力を行う会議クライアント１の出力処理を示すフローチャートである。
【００１５】
サマリ出力ボタン３５８の押下イベントを検出すると、サマリ出力処理が開始される（ステップＳ５００）。まず、ステップＳ５０１にて結果入力エリアサマリ出力対象の会議で結論が設定されていることを確認し、Ｓ５０２の資料取り込みモードへ遷移する。ステップＳ５０２〜Ｓ５０９でサマリ出力に必要な情報を取得する。ステップＳ５０３でサマリ出力用テンプレートを取得し、ステップＳ５０４〜５０５で、患者カルテ情報と、会議に関する開催日時・場所・参加者・結果情報を取得する。また、議事録が入力されている場合はステップＳ５０６〜５０７で議事録情報を取得し、サマリ画像が登録されている場合はステップＳ５０８〜５０９で登録されたサマリ画像を取得する。これらの情報は全て各種サーバ２〜８から取得される。なお、今回は取得する情報が事前に決められている前提となっているが、テンプレートの内容により取得する情報を動的に変更してもよい。また、会議の結論や診断結果などにより動的にテンプレートを変更してもよい。
【００１６】
情報収集後は、ステップＳ５１０のファイル出力モードへ遷移する。ステップＳ５１１にでは、ステップＳ５０３で取得したテンプレートよりサマリ作成に必要な情報の種別を特定し、ステップＳ５０４〜Ｓ５０９で取得した情報より必要な情報を抽出してテンプレートへ適応する。次に、ステップＳ５１２にて各種情報を適応したテンプレートを、サマリファイル３３として対象患者の情報を管理するバインダ３０２内に保存することで患者との関連付けを行う。最後に、出力結果をその場で確認するよう指定されていた場合はステップＳ５１４〜５１５でサマリファイル３３を会議クライアント１上で表示させる。
【００１７】
一方、サマリ出力は結果が出た患者に対して行われるものなので、結果が入力されていない患者に対するサマリ出力を指示された場合はステップＳ５２０でエラーダイアログを表示し、サマリ出力処理を中断する。
【００１８】
以上のように、本実施形態によれば、会議支援装置のユーザは、サマリ作成のために関連資料の収集やドキュメントの整形処理などの手間をかけずに、サマリを生成することができる。また、生成したサマリは、患者と関連付けられた状態で管理することができる。
【００１９】
なお、サマリ出力ボタン３５８の押下時だけではなく、結果入力エリア３５５への結果入力や会議終了イベント、会議画面終了などの検出を行ったタイミングで自動的にサマリを出力することで操作を簡便化してもよい。
【００２０】
また、対象患者一覧画面などを別途用意し、サマリ出力対象を指定してもよい。図６は会議内で承認対象となる患者の一覧表示画面を示す図であり、全ての患者に対し承認という結果が得られていることを示している。この状態で個々の患者に対して提供されているサマリ出力ボタン３７２を押すことで特定の患者のサマリを生成してもよく、また、全患者を指定して一括してサマリを出力させてもよい。会議終了イベントなどを検知した段階で自動的に全患者のサマリを出力させてもよい。
【００２１】
＜その他の実施形態＞
本発明の目的は、前述した機能を実現するコンピュータプログラムのコードを記録した記憶媒体を、システムに供給し、そのシステムがコンピュータプログラムのコードを読み出し実行することによっても達成される。この場合、記憶媒体から読み出されたコンピュータプログラムのコード自体が前述した実施形態の機能を実現し、そのコンピュータプログラムのコードを記憶した記憶媒体は本発明を構成する。また、そのプログラムのコードの指示に基づき、コンピュータ上で稼働しているオペレーティングシステム（ＯＳ）などが実際の処理の一部または全部を行い、その処理によって前述した機能が実現される場合も含まれる。
【００２２】
さらに、以下の形態で実現しても構わない。すなわち、記憶媒体から読み出されたコンピュータプログラムコードを、コンピュータに挿入された機能拡張カードやコンピュータに接続された機能拡張ユニットに備わるメモリに書込む。そして、そのコンピュータプログラムのコードの指示に基づき、その機能拡張カードや機能拡張ユニットに備わるＣＰＵなどが実際の処理の一部または全部を行って、前述した機能が実現される場合も含まれる。本発明を上記記憶媒体に適用する場合、その記憶媒体には、先に説明したフローチャートに対応するコンピュータプログラムのコードが格納されることになる。
【図１】
2013186649.tif 000003
【図２】
2013186649.tif 000004
【図３】
2013186649.tif 000005
【図４】
2013186649.tif 000006
【図５】
2013186649.tif 000007
【図６】
2013186649.tif 000008